(57)【特許請求の範囲】
【請求項１】
名刺から読み取った画像データを画面上に表示する表示装置と、
当該画像データから複数の文字からなる項目に対する項目データを作成する項目データ作成手段と、
上記項目データを上記画像データの対応する項目と隣接させ、かつ上記両データの各文字が互いに対応するように上記両データを並列に配置して表示させる項目データ隣接表示手段と、
前記表示装置に表示されている項目データを修正する項目データ修正手段と、を備える名刺読取装置。
【請求項２】
請求項１記載の名刺読取装置において、ユーザが前記項目データ修正手段によって項目データを修正する際に、前記項目データ隣接表示手段は、上記項目データを前記表示装置の画面上に１つずつ表示させる名刺読取装置。
【請求項３】
読み取ったバーコード及び文字列を含む画像データを画面上に表示する表示装置と、
当該画像データから複数の文字列からなる項目に対する項目データを作成する項目データ作成手段と、
当該画像データからバーコードを含む項目に対するバーコードデータを作成するバーコードデータ作成手段と、
上記項目データを上記画像データの対応する項目と隣接させ、かつ上記バーコードデータを上記画像データの対応するバーコードと隣接させるように配置して前記表示装置に表示させる項目データ隣接表示手段と、
前記表示装置に表示されている項目データ及びバーコードデータを修正する項目データ修正手段と、を備える名刺読取装置。
【請求項４】
請求項３記載の名刺読取装置において、前記項目データ修正手段によって修正された上記項目データ及び上記バーコードデータを対にして格納する格納メモリを備える名刺読取装置。
【発明の詳細な説明】
【０００１】
【発明の属する技術分野】
本発明は、自動的に名刺を読み取り修正して記憶手段に格納する名刺読取装置に関する。
【０００２】
【従来の技術】
従来、自動的に名刺を読み取り修正して記憶手段に格納する名刺読取装置としては、図１７乃至図１９に示すようなものがあった。図１７は従来の名刺読取装置の構成を示すブロック図、図１８は名刺読取装置で読み取るための原稿として台紙に添付した名刺を示す図、図１９は従来の名刺読取装置における項目データの正誤判別画面を示す図である。
【０００３】
まず、図１７を参照して、従来の名刺読取装置の構成について説明する。図１７において、１は名刺読取装置で読み取るために名刺を台紙に添付した原稿、３は原稿１を読み取り画像データ２に変換するデジタイズ手段、５は入力した画像データから名刺部分に含まれている会社名、氏名、電話番号などの項目データ４を作成する項目データ作成手段、６は項目データ４及び名刺を含む画像データ２を表示する表示装置、７は項目データを表示する表示手段、８は表示装置６の表示画像データ２を参照して項目データ４を修正することができる項目データ修正手段、１０は項目データ修正手段８で修正した修正済項目データ９を格納する格納メモリである。
【０００４】
次に、図１７乃至図１９を参照して、上記従来の名刺読取装置の動作について説明する。まず、図１８に示すように、名刺を台紙に添付して原稿１を作成し、デジタイズ手段３によって読み取らせる。デジタイズ手段３は読み取った原稿１を画像データ２に変換して、項目データ作成手段５及び表示装置６に出力する。項目データ作成手段５はデジタイズ手段３から得られた画像データ２からその名刺部分に含まれている会社名、氏名、電話番号、ＦＡＸ番号などの各項目データ４を作成する。
【０００５】
そこで、表示手段７はデジタイズ手段３から得られた画像データ２と項目データ作成手段５において作成された各項目データ４とを、例えば、図１９に示すように構成して表示装置６に送る。表示装置６はそれを図１９に示すように表示し、操作者はそのように表示された名刺を含む画像データ２と各項目データ４とを見比べて正誤判別する。項目データ４が正しければそのまま決定キーを押し、誤りがあれば、例えば、キー入力などの項目データ修正手段８により誤り部分を修正した後、決定キーを押す。修正した修正済項目データ９は格納メモリ１０に格納される。このように、従来の名刺読取装置においても、項目データ４を修正して正しい項目データを作成し格納することができる。
【０００６】
【発明が解決しようとする課題】
しかしながら、上記従来の名刺読取装置においては、名刺の画像と各項目データとを見比べて正誤の判断を行う際、視線を上下あるいは左右に大きく移動して判断しなければならず、目に負担がかかる他、判別を間違える可能性が大きいという問題があった。
【０００７】
本発明は、上記従来の問題を解決するためになされたもので、表示画面上で名刺の画像と各項目データとを見比べて正誤判別を行う際、読み取られた画像を解析して得られた項目データを名刺の各項目に隣接して表示することにより、視線を移動することなく、正しい判別を迅速に行い得る名刺読取装置を提供することを目的とする。
【０００８】
その上、本発明は、項目データのみでなく、バーコードデータなどの正誤判別を行うこともできる上、名刺の表面とともに裏面の画像データを表示画面に表示することにより、正しい正誤判断を迅速に行い得る名刺読取装置を提供することを目的とする。
【０００９】
【課題を解決するための手段】
本発明による名刺読取装置は、読み取られた画像データ及び項目データを入力し、正しい項目データを記憶するため各項目データを修正するに際し、名刺の各項目に対する画像の解析により得られた各項目データを名刺の画像データの対応する項目に隣接して表示装置に表示させるよう機能する項目データ隣接表示手段を設けるようにしたものである。
【００１０】
本発明によれば、項目データ隣接表示手段を設けるようにしたことにより、画像データの各項目と読み取られた画像の解析により得られた項目データとを比較する際、視線を大きく移動することなく、各項目データの正誤判別及び修正を容易迅速に行うことができる。
【００１１】
また、本発明による名刺読取装置は、読み取られた画像データに含まれているバーコードを認識してバーコードデータを作成するバーコードデータ作成手段と、作成されたバーコードデータを表示装置に表示して修正できるようにしたバーコードデータ修正手段とを含み、作成されたバーコードデータを修正のため名刺の画像データのバーコードに隣接して表示装置に表示させるようにしたものである。
【００１２】
本発明によれば、バーコードデータ作成手段及びバーコードデータ修正手段を設けるようにしたことにより、読み取られた画像データの各項目データのみでなく、名刺に添付されたバーコードも読み取り修正して正しいバーコードデータを作成し記憶させることができる。
【００１３】
更に、本発明による名刺読取装置は、名刺の表面と裏面とを同時に読み取り、名刺の表面を表面画像データに変換する表面デジタイズ手段と、裏面を裏面画像データに変換する裏面デジタイズ手段とを設け、名刺の表面及び裏面の画像データ、項目データ及びバーコードデータを同時に表示画面に表示させるようにしたものである。
【００１４】
本発明によれば、表面デジタイズ手段及び裏面デジタイズ手段を設けるようにしたことにより、名刺の両面に付された項目データ及びバーコードデータ（例えば、表面に項目データ、裏面にバーコードデータ）を同時に読み取り修正して、両面の正しい項目データ及びバーコードデータを記憶させることができる。
【００１５】
【発明の実施の形態】
本発明の請求項１に記載の発明は、名刺から読み取った画像データを画面上に表示する表示装置と、当該画像データから複数の文字からなる項目に対する項目データを作成する項目データ作成手段と、上記項目データを上記画像データの対応する項目と隣接させ、かつ上記両データの各文字が互いに対応するように上記両データを並列に配置して表示させる項目データ隣接表示手段と、前記表示装置に表示されている項目データを修正する項目データ修正手段と、を備えて構成される。この構成により、項目データ修正の際に、上記両データの間を視線が大幅に移動することなく、各項目データの修正を迅速に行うことができるという格別の作用を有する。
【００１６】
本発明の請求項２に記載の発明は、ユーザが前記項目データ修正手段によって項目データを修正する際に、前記項目データ隣接表示手段は、上記項目データを前記表示装置の画面上に１つずつ表示させる、ように構成される。この構成により、ユーザは修正するか否かの検討を行う際に、画面表示が煩雑にならず、１つの項目データに注目して修正することができるという格別の作用を有する。
【００１７】
本発明の請求項３に記載の発明は、読み取ったバーコード及び文字列を含む画像データを画面上に表示する表示装置と、当該画像データから複数の文字列からなる項目に対する項目データを作成する項目データ作成手段と、当該画像データからバーコードを含む項目に対するバーコードデータを作成するバーコードデータ作成手段と、上記項目データを上記画像データの対応する項目と隣接させ、かつ上記バーコードデータを上記画像データの対応するバーコードと隣接させるよう配置して前記表示装置に表示させる項目データ隣接表示手段と、前記表示装置に表示されている項目データ及びバーコードデータを修正する項目データ修正手段と、を備えて構成される。この構成により、データ作成手段は、当該画像データから複数の文字列からなる項目に対する項目データを作成し、かつバーコードデータ作成手段は、当該画像データからバーコードを含む項目に対するバーコードデータを作成し、上記両手段により作成されたデータは、項目データ修正手段により修正される際に、項目データ隣接表示手段により元の画像データと隣接して表示されるために、例えば、読取後の文字列とバーコードの数字との両方をユーザは視線を大幅に移動することなく迅速にその修正をすることが可能になるという格別の作用を有する。
【００１８】
本発明の請求項４に記載の発明は、前記項目データ修正手段によって修正された上記項目データ及び上記バーコードデータを対にして格納する格納メモリを備えて構成される。この構成により、名刺に記載された項目データとバーコードデータとが対となった情報データを上記のように作成して格納することができるという格別の作用を有する。
【００１９】
以下、添付図面、図１乃至図１６に基づき、本発明の実施の形態を詳細に説明する。図１は本発明の第１の実施の形態における名刺読取装置の構成を示すブロック図、図２は図１に示す名刺読取装置の動作を説明するためのフローチャート、図３は図１に示す名刺読取装置により正誤を判別し修正する項目データを示す項目データ正誤判別画面を示す図、図４は図１に示す名刺読取装置により正誤を判別し修正するほかの項目データを示す項目データ正誤判別画面を示す図である。
【００２０】
また、図５は本発明の第２の実施の形態における名刺読取装置の構成を示すブロック図、図６はバーコード付台紙に添付された名刺を示す図、図７は図５に示す名刺読取装置により正誤を判別し修正するバーコードデータを示すバーコードデータ正誤判別画面を示す図、図８は図５に示す名刺読取装置によりバーコード付画像データ上の正誤を判別する項目データを示す項目データ正誤判別画面を示す図、図９は入場受付時に作成される見学者の情報データを示す図、図１０は各ブースに訪れた見学者のバーコードデータを示す図、図１１は各ブースに訪れた見学者の情報データを示す図である。
【００２１】
また、図１２は本発明の第３の実施の形態における名刺読取装置の構造を模式的に示す模式断面図、図１３は図１２に示す名刺読取装置の論理的構成を示すブロック図、図１４は裏面にバーコードシールを添付した名刺の表面及び裏面を示す図、図１５は図１３に示す名刺読取装置により名刺の裏面に添付したバーコードの正誤を判別し修正するバーコードデータを示すバーコードデータ正誤判別画面を示す図、図１６は図１３に示す名刺読取装置により名刺裏面のバーコードデータも同時に示す表示画面上に正誤を判別する項目データを示す項目データ正誤判別画面を示す図である。
【００２２】
まず、図１を参照して、本発明の第１の実施の形態における名刺読取装置の構成について説明する。図１において、１は名刺読取装置で読み取るために名刺などを台紙に添付した原稿（例えば、図１８に示す）、３は名刺を含む原稿１を読み取り画像データ２に変換するデジタイズ手段、５は読み取られ変換された画像データ２から名刺部分に含まれている会社名、氏名、電話番号などの項目データ４を作成する項目データ作成手段、６は名刺を含む画像データ２及び項目データ４を画面に表示する表示装置である。
【００２３】
また、、１１は読み取られ変換された画像データ２とともに画像データ２の会社名、氏名、電話番号などの各項目に隣接した箇所に項目データ作成手段５により得られた項目データ４を表示するよう構成して表示装置６に表示させる項目データ隣接表示手段、８は表示装置６に表示されている画像データ２を参照して項目データ４を修正することができる項目データ修正手段、１０は項目データ修正手段８で修正した修正済項目データ９を格納する格納メモリである。
【００２４】
次に、図１に加え、主に図２に示すフローチャートの流れに従い、図３及び図４を参照して、本発明の第１の実施の形態における名刺読取装置の動作について説明する。まず、操作者により、図１８に示すような名刺とか台紙に名刺を添付した原稿１を本実施の形態における名刺読取装置により読み取らせると、名刺読取装置のデジタイズ手段３が名刺を含む原稿１を画像データ２に変換して出力する（ステップＳ−１）。
【００２５】
読み取られた画像データ２は項目データ作成手段５において処理され、項目データ作成手段５は名刺部分に含まれている会社名、氏名、電話番号などの各項目の部分を解析して、それら各項目が画像データ２のどの箇所の項目に当たるかを認識すると同時に各項目に対する項目データ４を作成する（ステップＳ−２）。作成された項目データ４は項目データ隣接表示手段１１に送られ、そこで、例えば、図３に示すように、会社名などの項目データ４は画像データ２の会社名を示す部分に隣接した箇所にウインドウ表示されるよう構成されて表示装置６に送られ、そこで表示される（ステップＳ−３）。
【００２６】
表示装置６の表示画面上に表示されている画像データ２の項目とそれに隣接して表示されている項目データ４とを見比べて正誤判別し（ステップＳ−４）、正しければそのまま決定キーを押し（ステップＳ−６）、誤っていれば、例えば、キー入力などの項目データ修正手段８により修正した後に決定キーを押す（ステップＳ−５）。決定キーを押した後の修正済項目データ９は格納メモリ１０に格納される（ステップＳ−７）。まだ、正誤判別されるべき項目データ４が残されている場合は（ステップＳ−８）ステップＳ−３に戻り、例えば、図４に示すように、次の項目データ４（氏名）がウインドウ表示される。その後は上記同様に動作し、全ての項目データ４が格納されると、名刺の人物の情報データが出来上がる。
【００２７】
次に、図５を参照して、本発明の第２の実施の形態における名刺読取装置の構成について説明する。図５において、１２は名刺読取装置で読み取るために名刺などをバーコード付台紙に添付した原稿（例えば、図６に示す）、３は名刺を含む原稿１２を読み取り画像データ２に変換するデジタイズ手段、５は読み取られ変換された画像データ２から名刺部分に含まれている会社名、氏名、電話番号などの項目データ４を作成する項目データ作成手段、１４は読み取られ変換された画像データ２からそこに含まれているバーコードに対するバーコードデータ１３を作成するバーコードデータ作成手段である。
【００２８】
また、６は名刺及びバーコードを含む画像データ２、項目データ４及びバーコードデータ１３を表示画面に表示する表示装置、１１は読み取られ変換された画像データ２とともに画像データ２の会社名、氏名、電話番号などの各項目に隣接した箇所に項目データ作成手段５により得られた各項目データ４を表示し、画像データ２のバーコードに隣接した箇所にバーコードデータ作成手段１４により得られたバーコードデータ１３を表示するよう構成して表示装置６に表示させる項目データ隣接表示手段である。
【００２９】
また、８は表示装置６に表示されている画像データ２を参照して項目データ４を修正することができる項目データ修正手段、１５は表示装置６に表示されている画像データ２を参照してバーコードデータ１３を修正することができるバーコードデータ修正手段、１０は項目データ修正手段８で修正した修正済項目データ９とバーコードデータ修正手段１５で修正した修正済バーコードデータ１６を格納する格納メモリである。
【００３０】
次に、図５に加え、図６乃至図８を参照して、本発明の第２の実施の形態における名刺読取装置の動作について説明する。本実施の形態における名刺読取装置の動作の説明においても図２に示すフローチャートが適用されるが、本実施の形態ではバーコードデータ１３の処理が含まれる。しかし、バーコードデータ１３の処理は項目データ４の処理と同様のため、煩雑を避けるために、図２に示すフローチャートは使用しない。
【００３１】
まず、操作者により、図６に示すような名刺とそのバーコードとが１組で添付された台紙などの原稿１２を本実施の形態における名刺読取装置により読み取らせると、名刺読取装置のデジタイズ手段３が名刺及びバーコードを含む原稿１２を画像データ２に変換して出力する。
【００３２】
読み取られた画像データ２は項目データ作成手段５において処理され、項目データ作成手段５は名刺部分に含まれている会社名、氏名、電話番号などの各項目の部分を解析して、それら各項目が画像データ２のどの箇所の項目に当たるかを認識すると同時に各項目に対する項目データ４を作成する。作成された項目データ４は項目データ隣接表示手段１１に送られ、そこで、例えば、図８に示すように、会社名などの項目データ４は画像データ２の会社名を示す部分に隣接した箇所にウインドウ表示されるよう構成されて表示装置６に送られ、そこで表示される。
【００３３】
また、読み取られた画像データ２はバーコードデータ作成手段１４において処理され、バーコードデータ作成手段１４は画像データ２に含まれているバーコードを解析して、画像データ２のどの箇所がバーコードに当たるのかを認識すると同時にバーコードデータ１３を作成する。作成されたバーコードデータ１３は項目データ隣接表示手段１１に送られ、そこで、例えば、図７に示すように、画像データ２のバーコード部分に隣接した箇所にウインドウ表示されるよう構成されて表示装置６に送られ、そこで表示される。
【００３４】
表示装置６の表示画面上に表示されている画像データ２の項目とそれに隣接して表示されている項目データ４とを見比べて正誤判別し、正しければそのまま決定キーを押し、誤っていれば、例えば、キー入力などの項目データ修正手段８により修正した後に決定キーを押す。また、同様に、表示装置６の表示画面上に表示されている画像データ２のバーコードとそれに隣接して表示されているバーコードデータ１３とを見比べて正誤判別し、正しければそのまま決定キーを押し、誤っていれば、例えば、キー入力などのバーコードデータ修正手段１５により修正した後に決定キーを押す。
【００３５】
決定キーを押した後の修正済項目データ９及び修正済バーコードデータ１６は格納メモリ１０に格納される。まだ、次の項目またはバーコードに対する正誤判別されるべき項目データ４またはバーコードデータ１３が残されている場合は、その項目データ４またはバーコードデータ１３のウインドウ表示が行われる。その後は上記同様に動作し、全ての項目データ４及びバーコードデータ１３が格納されると、バーコードと対になった名刺の人物の情報データが出来上がる。
尚、名刺読取装置で読み取らせる原稿として、名刺の上にバーコードが添付あるいは印刷される場合もある。
【００３６】
次に、図９乃至図１１を参照して、本実施の形態における名刺読取装置の運用例について説明する。
展示会などにおいて、見学者は２枚の名刺を用意する。入場受付の際、受付担当者はバーコードが添付された名札状の台紙を渡す。見学者は１枚の名刺をバーコードが添付された名札状の台紙に添付しその台紙を胸ポケットなどに付け、残りの１枚の名刺を受付担当者に渡す。
【００３７】
受付担当者は名札状の台紙に添付されたバーコードと同一のバーコードが添付された台紙に見学者の名刺を添付し、その台紙を名刺読取装置の操作担当者に渡す。名刺読取装置の操作担当者は名刺とバーコードが添付された台紙を読み取り、例えば、図９に示すようなバーコードデータと対になった見学者の会社名、氏名、電話番号などの情報データを作成する。
【００３８】
見学者が各展示ブースを見学した際、各展示ブース担当者は見学者の胸などに付けられた台紙に添付されているバーコードをバーコード読取装置などを用いて読み取り、例えば、図１０に示すようなブースに訪れた見学者に対応したバーコードデータのリストデータを作成する。展示会終了後、入場受付時に作成された見学者の情報データと、各展示ブースで作成されたバーコードデータのリストデータとを照合し、例えば、図１１のような各展示ブースを見学した人の情報データを作成することができ、そのブースを訪れた見学者層の把握などに役立てることができる。
【００３９】
次に、図１２及び図１３を参照して、本発明の第３の実施の形態における名刺読取装置の構造及び構成について説明する。まず、図１２において、名刺が名刺読取装置に挿入されると、２対のローラにより送り込まれ、名刺の両面に対面して設置されている２つの光源１７からの光に照射され、それぞれ対応するセンサ１８が名刺の表面及び裏面から反射した反射光を受光して名刺の表面及び裏面を読み取る。
【００４０】
次に、図１３において、１９は、例えば、図１４に示すように、名刺読取装置で読み取るために裏面にバーコードシールを添付した名刺とか、表面に名刺を添付し裏面にバーコードを付した台紙などからなる原稿、２１は表面に名刺を含む原稿１９の表面を読み取り表面画像データ２０に変換する表面デジタイズ手段、２３は裏面にバーコードを含む原稿１９の裏面を読み取り裏面画像データ２２に変換する裏面デジタイズ手段、５は表面デジタイズ手段２１及び裏面デジタイズ手段２３において読み取られ変換された表面画像データ２０及び裏面画像データ２２からそれらの名刺部分に含まれている会社名、氏名、電話番号など各項目の項目データ４を作成する項目データ作成手段である。
【００４１】
また、１４は表面デジタイズ手段２１及び裏面デジタイズ手段２３において読み取られ変換された表面画像データ２０及び裏面画像データ２２からそれらに含まれているバーコードに対するバーコードデータ１３を作成するバーコードデータ作成手段、６は名刺及びバーコードを含む表面画像データ２０、裏面画像データ２２、項目データ４及びバーコードデータ１３を表示画面に表示する表示装置である。
【００４２】
また、１１は読み取られ変換された表面画像データ２０及び裏面画像データ２２とともに、それら表面及び裏面画像データ２０、２２の会社名、氏名、電話番号など各項目に隣接した箇所に項目データ作成手段５により得られた項目データ４を表示し、表面及び裏面画像データ２０、２２のバーコードに隣接した箇所にバーコードデータ作成手段１４により得られたバーコードデータ１３を表示するよう構成して表示装置６に表示させる項目データ隣接表示手段である。
【００４３】
また、８は表示装置６に表示されている表面及び裏面画像データ２０、２２を参照して項目データ４を修正することができる項目データ修正手段、１５は表示装置６に表示されている表面及び裏面画像データ２０、２２を参照してバーコードデータ１３を修正することができるバーコードデータ修正手段、１０は項目データ修正手段８で修正した修正済項目データ９とバーコードデータ修正手段１５で修正した修正済バーコードデータ１６を格納する格納メモリである。
【００４４】
次に、図１２及び図１３に加え、図１４乃至図１６を参照して、本発明の第３の実施の形態における名刺読取装置の動作について説明する。本実施の形態における名刺読取装置の動作の説明においても図２に示すフローチャートが適用されるが、本実施の形態ではバーコードデータ１３の他名刺の表面及び裏面画像データ２０、２２の処理が含まれる。しかし、バーコードデータ１３の処理も基本的には項目データ４の処理と同様であり、また名刺の裏面画像データ２２の処理も表面画像データ２０の処理と同様であるから、煩雑を避けるため、図２に示すフローチャートは使用しない。
【００４５】
まず、操作者により、例として図１４に示すように、名刺の裏面にバーコードシールを添付した原稿１９を本実施の形態における名刺読取装置により読み取らせると、名刺読取装置の表面デジタイズ手段２１がバーコードシール（本実施の形態では裏面に添付）を添付した名刺などの原稿１９の表面を読み取り表面画像データ２０に変換して出力し、裏面デジタイズ手段２３がバーコードシールを添付した名刺などの原稿１９の裏面（本実施の形態ではバーコードシールを添付）を読み取り裏面画像データ２２に変換して出力する。
【００４６】
読み取られた表面及び裏面画像データ２０、２２は項目データ作成手段５において処理され、項目データ作成手段５は名刺部分に含まれている会社名、氏名、電話番号などの各項目の部分を解析して、それら各項目が表面及び裏面画像データ２０、２２のどの箇所の項目に当たるかを認識すると同時に各項目に対する項目データ４を作成する。作成された項目データ４は項目データ隣接表示手段１１に送られ、そこで、例えば、図１６に示すように、会社名などの項目データ４が表面画像データ２０の会社名を示す部分に隣接した箇所にウインドウ表示されるよう構成されて表示装置６に送られ、そこで表示される。
【００４７】
また、読み取られた表面及び裏面画像データ２０、２２はバーコードデータ作成手段１４において処理され、バーコードデータ作成手段１４は表面及び裏面画像データ２０、２２に含まれているバーコード（本実施の形態では裏面に添付）を解析して、表面及び裏面画像データ２０、２２のどの箇所がバーコードに当たるのかを認識すると同時にバーコードデータ１３を作成する。作成されたバーコードデータ１３は項目データ隣接表示手段１１に送られ、そこで、例えば、図１５に示すように、裏面画像データ２２のバーコード部分に隣接した箇所にウインドウ表示されるよう構成されて表示装置６に送られ、そこで表示される。
【００４８】
表示装置６の表示画面上に表示されている表面画像データ２０の各項目（図１６では会社名）とそれに隣接して表示されている項目データ４とを見比べて正誤判別し、正しければそのまま決定キーを押し、誤っていれば、例えば、キー入力などの項目データ修正手段８により修正した後に決定キーを押す。また、同様に、表示装置６の表示画面上に表示されている裏面画像データ２２のバーコードとそれに隣接して表示されているバーコードデータ１３とを見比べて正誤判別し、正しければそのまま決定キーを押し、誤っていれば、例えば、キー入力などのバーコードデータ修正手段１５により修正した後に決定キーを押す。
【００４９】
決定キーを押した後の修正済項目データ９及び修正済バーコードデータ１６は格納メモリ１０に格納される。まだ、次の項目またはバーコードに対する正誤判別されるべき項目データ４またはバーコードデータ１３が残されている場合は、その項目データ４またはバーコードデータ１３のウインドウ表示が行われる。その後は上記同様に動作し、全ての項目データ４及びバーコードデータ１３が格納されると、バーコードと対になった名刺の人物の情報データが出来上がる。
【００５０】
本実施の形態による名刺読取装置においても、上記の第２の実施の形態における場合と同様な運用が可能であり、また、名刺の裏にバーコードを添付するだけで名刺読取装置の読み取りによる見学者の情報データの作成が可能である。
また、上記実施の形態では、画像データの対応する各項目あるいはバーコードに隣接して表示される項目データあるいはバーコードデータはウインドウ表示により強調表示されるようにしたが、例えば、字体を変えるとか、字の大きさを変える等、他の方法により強調表示するようにしてもよい。
【００５１】
【発明の効果】
本発明による名刺読取装置は、以上説明したように構成し、特に、名刺の各項目に対する画像の解析により得られた各項目データを名刺の画像データの対応する項目に隣接して表示させるようにしたことにより、画像データの各項目と解析により得られた項目データとを比較して各項目データの正誤判別を行う際、視線を大きく移動することなく容易に行うことができるので、正誤判別の間違いを防止し、読み取りデータの確認及び修正を迅速に行うことができる。
【００５２】
本発明による名刺読取装置は、以上説明したように構成し、特に、名刺に添付したバーコードに対するバーコードデータを作成し修正することができるので、名刺に添付されたバーコードのバーコードデータと１対にその名刺の各項目データを作成することができ、展示ショーなどにおける各展示ブース見学者の情報データの自動作成など、バーコードデータで容易迅速に見学者リストを作成することができる。
【００５３】
本発明による名刺読取装置は、以上説明したように構成し、特に、名刺の表裏に記載されている各項目及びバーコードを同時に読み取り項目データ及びバーコードデータを作成し、修正することができるので、両面に項目を有する名刺とか名刺の表裏どちらに添付されたバーコードに対しても項目データ及びバーコードデータを作成することができるため、名刺の読み取りを容易迅速に行い得るほか、展示ショーなどにおける各展示ブース見学者の情報データの自動作成など、バーコードデータで容易迅速に見学者リストを作成することができる。
【図面の簡単な説明】
【図１】本発明の第１の実施の形態における名刺読取装置の構成を示すブロック図
【図２】図１に示す名刺読取装置の動作を説明するためのフローチャート
【図３】図１に示す名刺読取装置により正誤を判別し修正する項目データを示す項目データ正誤判別画面を示す図
【図４】図１に示す名刺読取装置により正誤を判別し修正するほかの項目データを示す項目データ正誤判別画面を示す図
【図５】本発明の第２の実施の形態における名刺読取装置の構成を示すブロック図
【図６】バーコード付台紙に添付された名刺を示す図
【図７】図５に示す名刺読取装置により正誤を判別し修正するバーコードデータを示すバーコードデータ正誤判別画面を示す図
【図８】図５に示す名刺読取装置によりバーコード付画像データ上の正誤を判別する項目データを示す項目データ正誤判別画面を示す図
【図９】入場受付時に作成される見学者の情報データを示す図
【図１０】各ブースに訪れた見学者のバーコードデータを示す図
【図１１】各ブースに訪れた見学者の情報データを示す図
【図１２】本発明の第３の実施の形態における名刺読取装置の構造を模式的に示す模式断面図
【図１３】図１２に示す名刺読取装置の論理的構成を示すブロック図
【図１４】裏面にバーコードシールを添付した名刺の表面及び裏面を示す図
【図１５】図１３に示す名刺読取装置により名刺の裏面に添付したバーコードの正誤を判別し修正するバーコードデータを示すバーコードデータ正誤判別画面を示す図
【図１６】図１３に示す名刺読取装置により名刺裏面のバーコードデータも同時に示す表示画面上に正誤を判別する項目データを示す項目データ正誤判別画面を示す図
【図１７】従来の名刺読取装置の構成を示すブロック図
【図１８】名刺読取装置で読み取るための原稿として台紙に添付した名刺を示す図
【図１９】従来の名刺読取装置における項目データの正誤判別画面を示す図
【符号の説明】
１  名刺を含む原稿
２  画像データ
３  デジタイズ手段
４  項目データ
５  項目データ作成手段
６  表示装置
７  表示手段
８  項目データ修正手段
９  修正済項目データ
１０  格納メモリ
１１  項目データ隣接表示手段
１２  名刺及びバーコードを含む原稿
１３  バーコードデータ
１４  バーコードデータ作成手段
１５  バーコードデータ修正手段
１６  修正済バーコードデータ
１７  光源
１８  センサ
１９  バーコード付名刺を含む原稿
２０  表面画像データ
２１  表面デジタイズ手段
２２  裏面画像データ
２３  裏面デジタイズ手段
【図１】
0003738088.tif 000002
【図２】
0003738088.tif 000003
【図３】
0003738088.tif 000004
【図４】
0003738088.tif 000005
【図５】
0003738088.tif 000006
【図６】
0003738088.tif 000007
【図７】
0003738088.tif 000008
【図８】
0003738088.tif 000009
【図９】
0003738088.tif 000010
【図１０】
0003738088.tif 000011
【図１１】
0003738088.tif 000012
【図１２】
0003738088.tif 000013
【図１３】
0003738088.tif 000014
【図１４】
0003738088.tif 000015
【図１５】
0003738088.tif 000016
【図１６】
0003738088.tif 000017
【図１７】
0003738088.tif 000018
【図１８】
0003738088.tif 000019
【図１９】
0003738088.tif 000020